(57)【要約】【課題】瞬間的に増量スチームを発生させる機能を持ちつつ、通常スチームも多量に発生させ、また気化室内の水垢堆積を防止することができるスチームアイロンを提供する。【解決手段】ヒータ２で加熱され複数のスチーム噴出穴５を有するベース１と、前記スチーム噴出穴５に連通すると共に通常スチームを発生させる第一気化室３と、同様に前記スチーム噴出穴５に連通すると共に瞬時に増量スチームを発生させる第二気化室４と、前記第一気化室３と前記第二気化室４に供給する水を貯えるタンク７とを備え、前記第二気化室４と前記第一気化室３とをスチーム通路１４で連通させたもので、第二気化室４で瞬間的に発生した増量スチームの一部だけが第一気化室３に流れこむので、第一気化室３での余裕ができた気化能力分だけ通常のスチームの蒸気量を増やすことができるとともに、第一気化室３の水垢も外部に排出することができる。【選択図】図１
2005224272.tif 000002
【特許請求の範囲】
【請求項１】
ヒータで加熱され複数のスチーム噴出穴を有するベースと、前記スチーム噴出穴に連通すると共に通常スチームを発生させる第一気化室と、同様に前記スチーム噴出穴に連通すると共に瞬時に増量スチームを発生させる第二気化室と、前記第一気化室と前記第二気化室に供給する水を貯えるタンクとを備え、前記第二気化室と前記第一気化室とをスチーム通路で連通させたスチームアイロン。
【請求項２】
スチーム通路の出口を第一気化室の底面より高い位置に配置した請求項１記載のスチームアイロン。
【請求項３】
第一気化室内に位置しタンクから給水される給水部の近傍にスチーム通路の出口を配した請求項１又は２記載のスチームアイロン。
【請求項４】
スチーム通路を第一気化室と第二気化室の間に設けた請求項１〜３のいずれか１項記載のスチームアイロン。
【発明の詳細な説明】
【技術分野】
【０００１】
本発明は、衣類等のしわ伸ばしに用いられるスチームアイロンに関するものである。
【背景技術】
【０００２】
従来、この種のスチームアイロンで、特に、通常のスチームを噴出させる機能と瞬時に増量スチームを噴出させる機能を備えたものとして、ヒータにより加熱するベースに気化室を形成し、この気化室に水を供給する水を貯えるタンクの底にノズル部を設け、開閉装置により前記ノズル部を開閉して気化室への水の供給を制御し、通常スチームの噴出、停止を行うとともに、ポンプ装置によりタンク内の水を瞬時に供給して増量スチームを発生させるようにしたものがある。また、通常スチームと増量スチームのそれぞれ用に水を同一の水出口より前記気化室に供給するようにしていた（例えば、特許文献１参照）。
【特許文献１】特開平９−１９２３９９号公報
【発明の開示】
【発明が解決しようとする課題】
【０００３】
近年、衣類のしわ伸ばしをより効率良く仕上げるために、ポンプ装置によりタンク内の水を瞬時に供給して増量スチームを発生させるものばかりでなく、通常のスチーム量も増やしたスチームアイロンが望まれている。そして、前記従来の構成では、タンク内の水は通常スチームの場合でも増量スチームの場合でも同一気化室内に供給され、通常スチームを噴出している状態で、増量スチームを使用しても水漏れしないように、それぞれの給水量がバランス良く設定されている。しかしながら、通常スチーム量を増やすために単純に給水量を増量し、同時に瞬間的な増量スチームを噴出させると、気化能力をうしない、熱水が外部に飛び出してしまうという課題があった。
【０００４】
この課題を解決するために、継続してスチームを発生させる第一気化室と、瞬時に増量スチームを発生させる第二気化室を独立して形成することが考えられるが、この構成では、瞬間的な増量スチームによる内圧で気化室内部に堆積した水垢を外部に排出するというクリーニング効果が、第一気化室では得られないという課題がある。
【０００５】
本発明は、前記従来の課題を解決するもので、瞬間的に増量スチームを発生する機能を有しながら、通常スチームも多量に発生させることができると共に、気化室内の水垢堆積を防止できるスチームアイロンを提供することを目的とする。
【課題を解決するための手段】
【０００６】
前記従来の課題を解決するために、本発明のスチームアイロンは、ヒータで加熱され複数のスチーム噴出穴を有するベースと、前記スチーム噴出穴に連通すると共に通常スチームを発生させる第一気化室と、同様に前記スチーム噴出穴に連通すると共に瞬時に増量スチームを発生させる第二気化室と、前記第一気化室と前記第二気化室に供給する水を貯えるタンクとを備え、前記第二気化室と前記第一気化室とをスチーム通路で連通させたもので、第二気化室で瞬間的に発生した増量スチームの一部だけが第一気化室に流れこむので、第一気化室での余裕ができた気化能力分だけ通常のスチームの蒸気量を増やすことができるとともに、第一気化室の水垢も外部に排出することができる。
【発明の効果】
【０００７】
本発明のスチームアイロンは瞬間的に増量スチームを発生する機能を有しながら、通常スチームも多量に発生させることができると共に、気化室内の水垢堆積も防止できる。
【発明を実施するための最良の形態】
【０００８】
第１の発明は、ヒータで加熱され複数のスチーム噴出穴を有するベースと、前記スチーム噴出穴に連通すると共に通常スチームを発生させる第一気化室と、同様に前記スチーム噴出穴に連通すると共に瞬時に増量スチームを発生させる第二気化室と、前記第一気化室と前記第二気化室に供給する水を貯えるタンクとを備え、前記第二気化室と前記第一気化室とをスチーム通路で連通させたもので、第二気化室で瞬間的に発生した増量スチームの一部だけが第一気化室に流れこむので、第一気化室での余裕ができた気化能力分だけ通常のスチームの蒸気量を増やすことができるとともに、第一気化室の水垢も外部に排出することができる。
【０００９】
第２の発明は、特に第１の発明のスチーム通路の出口を第一気化室の底面より高い位置に配置したもので、通常スチーム発生時に第一気化室に溜まる熱水が、第二気化室に流れ込みにくくなり、第二気化室の温度低下を抑えるので、瞬間的な増量スチームを安定して発生させることができる。
【００１０】
第３の発明は、特に第１又は第２の発明の第一気化室内に位置しタンクから給水される給水部の近傍にスチーム通路の出口を配したもので、水垢が堆積し易い給水部が掃除されるので、長年の使用においても安定してスチームを噴出できる。
【００１１】
第４の発明は、特に、第１〜３のいずれか１つの発明のスチーム通路を第一気化室と第二気化室の間に設けたもので、第一気化室と第二気化室の間にスチーム通路による断熱層が形成され、第一気化室が温度低下しても、前記断熱層により第二気化室の温度が容易に奪われることが無いので、瞬間的な増量スチームを安定して発生させることができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態におけるスチームアイロンの部分断面図、図２は、同スチームアイロンのタンクを外した状態での平面図、図３は、同スチームアイロンの組立ベースを示した平面図、図４は、同ベースの平面図、図５は、図４のＡ−Ａ断面図である。
【００１４】
図において、１はヒータ２により加熱されるベースで、略Ｕ字状のヒータ２が埋設されている。また、ベース１を上方より見てこのヒータ２の内側の後方には通常のスチームを発生させるための第一気化室３、前方には瞬間的に増量スチームを発生させるための第二気化室４が形成されている。ヒータ２の外側には複数のスチーム噴出穴５が設けられ、第一気化室３、第二気化室４にそれぞれ連通している。６はアルミ金属製の気化室蓋で第１、第２気化室３、４の上面を水密に覆っている。７は水を貯えるタンクで、アイロン本体８に着脱自在にとりつけている。
【００１５】
このタンク７の底部にノズル９が配され、スチームダイヤル１０の操作と連動して開閉棒１１がノズル９の子穴を開閉し、タンク７内の水が第一気化室３のＸ部に滴下される。１２はポンプ装置で操作ボタン１３の上下動によりタンク７内の水が第二気化室４のＹ部に噴出するように構成している。１４は第一気化室３と第二気化室４を連通するスチーム通路で、このスチーム通路１４は第一気化室３と第二気化室４の境界に、即ち第一気化室３と第二気化室４との間に配置され、第一気化室３の出口１５はタンク７の水が滴下するＸ部すなわち給水部に設けるとともに、出口１５は、第一気化室３の底面３ａより高い位置に設けている。
【００１６】
以上のように構成されたスチームアイロンの作用、動作について、以下に説明する。
【００１７】
まず、スチームダイヤル１０を操作して開閉棒１１でノズル９を開くと、タンク７内の水は導水路１６、連結パッキン１７を介して、第一気化室３のＸ部に滴下後、熱水まじりの蒸気からスチーム噴出穴５に達するまでには蒸気となり外部に噴出され、通常のスチームとしてアイロンかけを行うことができる。
【００１８】
次にポンプ装置１２の操作ボタン１３を操作して、タンク７内の水を強制的に第二気化室４のＹ部に噴出すると、瞬間的に蒸気が発生し、その蒸気はヒータ２上に形成した通路１８ａ、１８ｂと、第一気化室３に連通されたスチーム通路１４とに分散されて外部へ噴出し、増量スチームとして使用される。
【００１９】
このとき第一気化室３には、第二気化室４で発生した増量スチームの一部だけが流れ込むので、第一気化室３の気化能力に余裕がうまれ、その分だけ第一気化室３への水の滴下量を増やすことができる。すなわち、通常スチームの蒸気量を増やすことが可能となる。
【００２０】
また、第二気化室４で発生する蒸気の一部を第一気化室３へ導くスチーム通路１４の出口１５を第一気化室３の底面３ａより高くしたことにより、第一気化室３に溜まる熱水が第二気化室４に流れ込みにくくなり、第二気化室４の温度低下を抑えるので、第二気化室４での瞬間的な増量スチーム発生を安定させることができる。
【００２１】
また、スチーム通路１４の出口１５を第一気化室３の給水部（Ｘ部）近傍に設けたことにより、通常スチームの使用により水垢が堆積し易い給水部は、増量スチームで使用するたびに掃除されるので、長年の使用においても安定してスチームを噴出することができる。
【００２２】
さらに、スチーム通路１４を第一気化室３と第二気化室４の境界に配置したことにより、第一気化室３と第二気化室４の間に断熱層が形成され、頻繁な通常スチームの使用で第一気化室３が温度低下しても、それにより第二気化室４の温度が容易に奪われる事が無いので、瞬間的な増量スチームを安定して発生することができる。
【産業上の利用可能性】
【００２３】
以上のように、本発明にかかるスチームアイロンは、瞬間的に増量スチームを発生する機能を有しながら、通常スチーム噴出でも多量スチームを安定して発生させると共に、気化室内の水垢堆積を防止することができるもので、家庭用、業務用のスチームアイロンに広く適用できる。
【図面の簡単な説明】
【００２４】
【図１】本発明の実施の形態１におけるスチームアイロンの要部断面図
【図２】同スチームアイロンのタンクを外した状態での平面図
【図３】同スチームアイロンの組立ベースの平面図
【図４】同スチームアイロンのベースの平面図
【図５】図４のＡ−Ａ断面図
【符号の説明】
【００２５】
１  ベース
２  ヒータ
３  第一気化室
４  第二気化室
５  スチーム噴出穴
７  タンク
１４  スチーム通路
【図１】
2005224272.tif 000003
【図２】
2005224272.tif 000004
【図３】
2005224272.tif 000005
【図４】
2005224272.tif 000006
【図５】
2005224272.tif 000007